(57)【特許請求の範囲】
【請求項１】
方形枠状に形成された木製の表枠本体の開口内周縁に合わせて設けられた金属製で方形枠状の扉枠に、ガラス枠と、上皿が組付けられる前面板とが夫々回動可能に支持されたパチンコ機の表枠において、
前記表枠本体の前面に合成樹脂製の成形枠が接合され、
前記成形枠は、厚さが１．５〜２．０ｍｍの合成樹脂板で成形されて前記表枠本体の正面形状とほぼ等しい方形枠状の正面形状であり、
かつ、前記成形枠は、前記扉枠の前枠部の外回り部位で、前記表枠本体の前面に重ね合わされて貼着される方形枠状の外枠部と、
この外枠部の内周囲縁に連接して前方へ膨出して形成されて前記扉枠の前枠部の前面を圧接状態で覆って前記表枠本体に押し付ける方形枠状の内枠部とが段差状に一体形成されるものであり、
また、前記形成枠は、前記外枠部における各枠部に、前記表枠本体の各枠部に形成された夫々の挿通孔に対応する夫々の透孔が形成されていることを特徴とするパチンコ機の表枠。
【発明の詳細な説明】
【０００１】
【産業上の利用分野】
この発明はパチンコ機において、ガラス扉を支持する扉枠が装着される表枠に関する。
【０００２】
【従来の技術】
パチンコ機では表枠として化粧シ−ト（化粧合板，デコラ板）が前面に貼着された表枠が使用されている。なお、従来技術としては例えば特開平６−１９８０５７号公報がある。
【０００３】
【発明が解決しようとする課題】
本発明は木質の表枠本体の見栄えを良化して表枠のイメ−ジチェンジを図ることを課題とするものである。
【０００４】
【課題を解決するための手段】
請求項１の発明に係るパチンコ機の表枠は、方形枠状に形成された木製の表枠本体の開口内周縁に合わせて設けられた金属製で方形枠状の扉枠に、ガラス枠と、上皿が組付けられる前面板とが夫々回動可能に支持されたパチンコ機の表枠において、
前記表枠本体の前面に合成樹脂製の成形枠が接合され、
前記成形枠は、厚さが１．５〜２．０ｍｍの合成樹脂板で成形されて前記表枠本体の正面形状とほぼ等しい方形枠状の正面形状であり、
かつ、前記成形枠は、前記扉枠の前枠部の外回り部位で、前記表枠本体の前面に重ね合わされて貼着される方形枠状の外枠部と、この外枠部の内周囲縁に連接して前方へ膨出して形成されて前記扉枠の前枠部の前面を圧接状態で覆って前記表枠本体に押し付ける方形枠状の内枠部とが段差状に一体形成されるものであり、
また、前記形成枠は、前記外枠部における各枠部に、前記表枠本体の各枠部に形成された夫々の挿通孔に対応する夫々の透孔が形成されていることを特徴とする。
【０００５】
【作用】
請求項１の発明では、厚さが１．５〜２．０ｍｍの合成樹脂板により、表枠本体の前面に重ね合わされて貼着される外枠部と内枠部とが段差状に一体形成され、この形成枠の外枠部によって木製の表枠本体の前面が覆われ、内部枠によって金属製の扉枠の前面が圧接状態で覆れる。
【０００６】
【発明の効果】
請求項１の発明によれば、合成樹脂製の成形枠によって表枠の前面における色彩の多様化が可能となるとともに、表枠全体を合成樹脂材によって成形した場合には高価な成形型が必要となるが、本発明によれば型代や成形コストを節減して全体が合成樹脂材で形成された表枠と同様な意匠効果を表枠に付与することができる。
また、合成樹脂製の成形枠の外枠部によって木製の表枠本体の前面を覆い、内枠部によって扉枠の前面を圧接状態で覆うことができるので、表枠の見栄えを良化してイメ−ジチェンジを図ることができるとともに、金属製の扉枠の浮き上りを防止して扉枠を適正な状態で表枠本体に取付けることができる。
【０００７】
【実施例】
次に、本発明の第１実施例を図１〜図４にしたがって説明する。パチンコ機の表枠１は上横枠部２ａと、下横枠部２ｂと、左縦枠部２ｃと、右縦枠部２ｄとが形成された方形枠状で木製の表枠本体２を備えている。
【０００８】
表枠本体２の前面の内端縁付近には前後１対のガラス５およびこの両ガラス５が嵌め込まれたガラス支持枠６を有するガラス扉４と、このガラス扉４の下方に設置されて上皿が組付けられる前面板とをそれぞれ支軸を介して回動可能に支持する金属製で方形枠状の扉枠３がねじによって結合されている。
【０００９】
扉枠３には表枠本体２の前面２ｅに固定されて表枠本体２の前側に設置される方形枠状の前枠部３ａと、この前枠部３ａの内端縁に連接されて前枠部３ａの後内方に設置された後枠部３ｂとが形成されている。
【００１０】
表枠本体２の上横枠部２ａにはこの上横枠部２ａにランプ基板を介して取付けられた複数個のランプ７が後側から挿通された３つの第１挿通孔８が開設されている。
【００１１】
表枠本体２の右縦枠部２ｄにはこの右縦枠部２ｄに取付けられたシリンダ錠９が後側から挿通された第２挿通孔１０が開設されている。
【００１２】
表枠本体２の下横枠部２ｂにはハンドル２８が固定された左ハンドル軸が挿通される第３挿通孔１１と、打球機構の一部が挿通される第４挿通孔１２と、下皿１３の球誘導樋１３ｂが挿通される第５挿通孔１４とが開設されている。
【００１３】
表枠本体２の前面には表枠本体２の正面形状とほぼ等しい方形枠状の正面形状を有し、上横枠部１５ａと、下横枠部１５ｂと、左縦枠部１５ｃと、右縦枠部１５ｄとが形成された合成樹脂製の成形枠１５が接着剤等によって接合されている。
【００１４】
成形枠１５は、表枠本体２の前面２ｅから前方へ膨出して内端縁１６ａが扉枠３の前枠部３ａに圧接した状態で扉枠３の前枠部３ａを覆って表枠本体２に押しつける方形枠状の内枠部１６と、この内枠部１６の外周縁に連接されて表枠本体２の前面２ｅのうち、扉枠３の前枠部３ａの回りの部位に重ね合わされる方形枠状の外枠部１７とが段差状に一体成形されて立体形状に形成され、成形枠１５は例えば厚さが１．５〜２ｍｍのＡＢＳ樹脂板等を真空成形して作製される。
【００１５】
成形枠１５は内枠部１６がガラス扉４の回動動作を妨げないような状態でガラス扉４の外側に設置されている。
【００１６】
成形枠１５の上横枠部１５ａには各ランプ７を取囲む孔縁を有し、成形枠１５の一部を間に挟み込んだ状態で表枠本体２の上横枠部２ａに結合されるランプカバ−１９によって覆われる横長の第１透孔１８が開設されている。
【００１７】
成形枠１５の右縦枠部１５ｄにはシリンダ錠９を取囲む孔縁を有し、成形枠１５の一部を間に挟み込んだ状態で表枠本体２の右縦枠部２ｄに結合される錠飾り２１によって覆われる縦長の第２透孔２０が開設されている。
【００１８】
成形枠１５の下横枠部１５ｂにはハンドル軸および打球機構の一部を取囲む孔縁を有し、成形枠１５の一部を間に挟み込んだ状態で表枠本体２の下横枠部２ｂに結合される下皿１３のベ−ス板１３ａによって覆われる方形孔状の第３透孔２２と、下皿１３の球誘導樋１３ｂを取囲む孔縁を有し、下皿１３のベ−ス板１３ａによって覆われる方形孔状の第４透孔２３とが開設されている。
【００１９】
成形枠１５はその内枠部１６が扉枠３の前枠部３ａを覆って表枠本体２に押しつけ、外枠部１７が扉枠３の回りの部位で表枠本体２の前面２ｅに貼着された状態で表枠本体２に結合されている。
【００２０】
成形枠１５の上横枠部１５ａの前面には表枠本体２の上横枠部２ａにねじ止めされたランプカバ−１９が固定され、成形枠１５の右縦枠部１５ｄの前面には表枠本体２の右縦枠部２ｄにねじ止めされた錠飾り２１が固定され、成形枠１５の下横枠部１５ｂの前面には表枠本体２の下枠部２ｂにねじ止めされた下皿１３が固定されている。
【００２１】
続いて、上記した構成を有する実施例の作用と効果について説明する。本例ではガラス扉４を支持する扉枠３が装着される木製の表枠本体２の前面２ｅには、扉枠３のうち、表枠本体２の前側に設置される前枠部３ａを表枠本体２の前面から膨出した状態で覆って表枠本体２に押しつける内枠部１６と、表枠本体２の前面２ｅのうち、前枠部３ａの回りの部位に重ね合わされる外枠部１７とが段差状に一体成形された合成樹脂製の成形枠１５を結合し、成形枠１５には表枠本体２に取付けられるランプ７を取囲む孔縁を有する第１透孔１８と、シリンダ錠９を取囲む孔縁を有する第２透孔２０と、ハンドル軸を取囲む孔縁を有する第３透孔２２と、下皿１３の球誘導樋１３ｂを取囲む孔縁を有する第４透孔２３とを開設してある。
【００２２】
このため、木製の表枠本体２の前面２ｅ全体を立体形状に成形された合成樹脂製の成形枠１５によって装飾して表枠１の前面における色彩の多様化が可能となり、表枠１の見栄えを良化することができるとともに、表枠１に立体感がある装飾を施して表枠１のイメ−ジチェンジを図ることができる。
【００２３】
また、扉枠３の前枠部３ａが成形枠１５の内枠部１６によって覆われるので、扉枠３を表枠本体２に結合する各ねじを成形枠１５によって覆い隠して表枠２の表面の見栄えを良化することができる。
【００２４】
さらに、扉枠３の前枠部３ａが成形枠１５の内枠部１６によって表枠本体２に押しつけられるので、扉枠３の前枠部３ａの浮き上りを防止して扉枠３を適正な状態で表枠本体２に取付けることができる。
【００２５】
また、ランプ７、シリンダ錠９、ハンドル軸、下皿１３等の部品をその仕様や取付け態様を変えずに表枠本体２に取付けることができる。
【図面の簡単な説明】
【図１】  本発明の１実施例を示す表枠本体，扉枠，成形枠の分解斜視図である。
【図２】  表枠の正面図である。
【図３】  図２のＸ１−Ｘ１線拡大断面図である。
【図４】  図２のＸ２−Ｘ２線拡大断面図である。
【符号の説明】
１  表枠
２  表枠本体
３  扉枠
３ａ  前枠部
４  ガラス扉
７  ランプ
８，１０，１１，１２，１４  挿通孔
９  シリンダ錠
１５，１５Ａ，１５Ｂ  成形枠
１６  内枠部
１７  外枠部
１８，２０，２２，２３  透孔
２４  ランプカバ−部
２５  錠飾り部
２６  下皿部
【図１】
0003843292.tif 000002
【図２】
0003843292.tif 000003
【図３】
0003843292.tif 000004
【図４】
0003843292.tif 000005